(57)【要約】      （修正有）【課題】ユーザが所望するサイズのタッチパネルディスプレイを容易に実現することができるパネル計器およびパネル計器集合体を提供する。【解決手段】２つのパネル計器２は、各側面に第１のコネクタ２３が設けられている。この第１のコネクタ２３同士を接続部材３で接続することにより、所望の大きさのタッチパネルディスプレイを実現する。【選択図】図３
2015004563.tif 000002
【特許請求の範囲】
【請求項１】
直方体状の筐体と、
この筐体の一の面に設けられた平面視略矩形のタッチパネルディスプレイと、
前記筐体の前記一の面に隣接する４つの側面のうち少なくとも１つに形成されたコネクタと
を備えたことを特徴とするパネル計器。
【請求項２】
直方体状の筐体と、
この筐体の一の面に設けられた平面視略矩形のタッチパネルディスプレイと、
前記筐体の前記一の面に隣接する４つの側面のうち少なくとも１つに形成されたコネクタとを備えた複数のパネル計器と、
前記タッチパネルディスプレイが連設された２つの前記パネル計器のうちの一方の前記パネル計器の前記コネクタが設けられた側面と、他方の前記パネル計器の前記コネクタが設けられた側面との間に配設され、それぞれの前記コネクタを電気的に接続する接続部材と
を備えたことを特徴とするパネル計器集合体。
【請求項３】
前記コネクタは、メスのコネクタからなり、
前記接続部材は、前記コネクタに対応するオスのコネクタからなる
ことを特徴とする請求項２記載のパネル計器集合体。
【発明の詳細な説明】
【技術分野】
【０００１】
本発明は、パネル計器に関するものである。
【背景技術】
【０００２】
従来より、パネル、制御盤、計測器等に組み込んで使用され、各種機器を制御する例えばシーケンサ等の制御装置（以下、「パネル計器」と言う。）が知られている。このパネル計器は、温度、圧力、流量等の所定のパラメータを設定する操作部およびシーケンサが制御する制御機器の状態等を表示する表示部を前面に備えている（例えば、特許文献１参照。）。近年では、操作部および表示部として機能するタッチパネルディスプレイを備えたパネル計器が脚光を浴びている。
【０００３】
このようなパネル計器のタッチパネルディスプレイは、ユーザ毎に希望する大きさが異なることが多い。このため、各ユーザのニーズに応えられるよう、タッチパネルディスプレイのサイズが異なる複数種類のパネル計器を用意することが行われている。例えば、図１３に示すように、縦４８［ｍｍ］、横４８［ｍｍ］のパネル計器１０１、縦９６［ｍｍ］、横４８［ｍｍ］のパネル計器１０２、および、縦９６［ｍｍ］、横９６［ｍｍ］のパネル計器１０３というタッチパネルディスプレイのサイズがそれぞれ異なる３種類のパネル計器を用意することが行われている。
【先行技術文献】
【特許文献】
【０００４】
【特許文献１】特開２００４−２５７９８８号公報
【発明の概要】
【発明が解決しようとする課題】
【０００５】
しかしながら、タッチパネルディスプレイのサイズが異なる複数種類のパネル計器を用意していたので、次のような問題が発生していた。
【０００６】
まず、複数種類のパネル機器を用意しているので、その生産に手間がかかっていた。また、注文がタッチパネルディスプレイのサイズ毎に分散してしまうので、他品種小ロット生産になり、高コストとなっていた。さらに、サイズによる注文の変動があるため、生産数量の予測が困難となり、過剰在庫や在庫切れが生じることがあった。
【０００７】
そこで、本願発明は、ユーザが所望するサイズのタッチパネルディスプレイを容易に実現することができるパネル計器およびパネル計器集合体を提供することを目的とする。
【課題を解決するための手段】
【０００８】
上述したような課題を解決するために、本発明に係るパネル計器は、直方体状の筐体と、この筐体の前面に設けられた平面視略矩形のタッチパネルディスプレイと、筐体の４つの側面のうち少なくとも１つに形成され、他のパネル計器と電気的に接続されるコネクタとを備えたことを特徴とするものである。
【０００９】
また、本実施の形態に係るパネル計器集合体は、直方体状の筐体と、この筐体の前面に設けられた平面視略矩形のタッチパネルディスプレイと、筐体の４つの側面のうち少なくとも１つに形成され、他のパネル計器と電気的に接続されるコネクタとを備えた複数のパネル計器と、タッチパネルディスプレイが連設された２つのパネル計器のうちの一方のパネル計器のコネクタが設けられた側面と、他方のパネル計器のコネクタが設けられた側面との間に配設され、それぞれのコネクタを電気的に接続する接続部材とを備えたことを特徴とするものである。
【００１０】
上記パネル計器集合体において、コネクタは、メスのコネクタからなり、接続部材は、コネクタに対応するオスのコネクタからなるようにしてもよい。
【発明の効果】
【００１１】
本発明によれば、複数のパネル計器を接続部材で接続することによりユーザが所望するサイズのタッチパネルディスプレイを実現することができる。
【図面の簡単な説明】
【００１２】
【図１】図１は、本発明の実施の形態に係るパネル計器集合体の正面図である。
【図２】図２は、本発明の実施の形態に係るパネル計器集合体の側面図である。
【図３】図３は、図２のI-I線断面図である。
【図４】図４は、本発明の実施の形態に係るパネル計器の正面図である。
【図５】図５は、本発明の実施の形態に係るパネル計器の側面図である。
【図６】図６は、図５のII-I線断面図である。
【図７】図７は、本発明の実施の形態に係るパネル計器の背面図である。
【図８】図８は、接続部材の正面図である。
【図９】図９は、接続部材の側面図である。
【図１０】図１０は、接続部材の取付動作を説明する図である。
【図１１】図１１は、パネル計器集合体の変形例を示す正面図である。
【図１２】図１２は、パネル計器集合体の変形例における要部断面図である。
【図１３】図１３は、従来のパネル計器を示す斜視図である。
【発明を実施するための形態】
【００１３】
以下、図面を参照して本発明の実施の形態について詳細に説明する。
【００１４】
＜パネル計器集合体の構成＞
図１〜図３に示すように、本実施の形態に係るパネル計器集合体１は、２つのパネル計器２と、このパネル計器２同士を接続する接続部材３とから構成される。
【００１５】
≪パネル計器の構成≫  
図４〜図７に示すように、パネル計器２は、直方体状の筐体２１と、この筐体２１の前面に取り付けられたタッチパネルディスプレイ２２と、筐体２１の各側面に形成された第１のコネクタ２３と、筐体２１内部に設けられた回路基板２４とを備えている。
【００１６】
筐体２１は、例えば樹脂などからなる前面が開口された略直方体状の部材である。
【００１７】
タッチパネルディスプレイ２２は、ＬＣＤ（Liquid Crystal Display）パネル等の表示装置と、タッチパッド等の位置入力装置とを備えた電子部品である。本実施の形態において、タッチパネルディスプレイ２２は、平面視において正方形の板状に形成されている。
【００１８】
第１のコネクタ２３は、図６に示すように、断面略凹状のメス型のコネクタであり、後述する接続部材３のオス型のコネクタの形状に対応している。このような第１のコネクタ２３は、筐体２１の各内側面と略平行に対向配置された回路基板２４に支持され、筐体２１の各側面の略中央部の開口２１ａから露出している。
【００１９】
回路基板２４は、タッチパネルディスプレイ２２および第１のコネクタ２３と電気的に接続されたプリント基板である。この回路基板２４には、タッチパネルディスプレイ２２から入力される情報に基づいて、温度、圧力、流量等の設定動作や測定動作を行うとともに、これらの動作の内容や結果をタッチパネルディスプレイ２２に表示させる表示動作を行わせる電子回路（図示せず）が実装されている。この電子回路は、他のパネル計器２と電気的に接続されている場合、上述した設定動作、測定動作および表示動作等を、他のパネル計器２と連動して行う。これにより、パネル計器集合体１は、２つのパネル計器２から構成されているものの、１つのパネル計器２から構成されているように動作することとなる。
【００２０】
≪接続部材の構成≫  
図８〜図１０に示すように、接続部材３は、支持部３１と、この支持部３１により支持された基部３２と、この基部３２に固定された第２のコネクタ３３とを備えている。
【００２１】
支持部３１は、平面視略コの字状の棒状の部材である。この支持部３１の各辺に垂直な断面は、内側面側が開口した略コの字状に形成されている。支持部３１の両端部の外側部には、開口３１ａが形成されている。
【００２２】
基部３２は、平面視略矩形の板状の部材であり、一対の長側部それぞれの一端には凸部３２ａが形成されている。この凸部３２ａは、支持部３１の開口３１ａに対応する形状を有している。
【００２３】
第２のコネクタ３３は、基部３２に前面および下面に形成されたオス型のコネクタである。基部３２の前面および下面に形成された第２のコネクタ３３同士は電気的に接続されている。
【００２４】
このような接続部材３は、図１０に示すように、支持部３１の両端部の内側部から、基部３２の凸部３２ａと隣接しない側の短側部を挿入してゆき、凸部３２ａを開口３１ａに嵌合させることにより、組み立てられる。
【００２５】
＜パネル計器集合体１の組み立て方法＞
次に、本実施の形態に係るパネル計器集合体１の組み立て方法は以下の通りである。
【００２６】
まず、２つのパネル計器２と、１つの接続部材３とを用意し、一方のパネル計器２の上方の側面に形成された第１のコネクタ２３に接続部材３の一方の第２のコネクタ３３を接続する。続いて、第２のコネクタ３３が接続された一方のパネル計器２上に他方のパネル計器３を載置して、接続部材３の他方の第２のコネクタ３３に、他方のパネル計器２の下方の側面に形成された第１のコネクタ２３を接続する。
【００２７】
すると、図１〜図３に示すように、２つのパネル計器２が上下方向に重なったパネル計器集合体１が形成される。このパネル計器集合体１を筐体２１の前面側、すなわち、パネル計器集合体１の前面側から見た場合、２つのパネル計器２のタッチパネルディスプレイ２２は、図１に示すように連続しており、１つの長方形のタッチパネルディスプレイを形成している。このタッチパネルディスプレイは、タッチパネルディスプレイ２２の２倍の面積となる。
【００２８】
このように、パネル計器２間を接続部材３で接続することにより、所望する大きさのタッチパネルディスプレイを有するパネル計器集合体を実現することができる。
【００２９】
ここで、接続するパネル計器２の数量は、上述した２つに限定されず、適宜自由に設定することができる。これにより、ユーザが所望する形状や面積のタッチパネルディスプレイを有するパネル計器集合体を実現することができる。例えば、図１１，図１２に示すパネル計器集合体１０は、４つのパネル計器２を４つの接続部材３で接続したものである。このようにすることにより、タッチパネルディスプレイ２２の４倍の面積を有する正方形のタッチパネルディスプレイを実現することができる。
【００３０】
以上説明したように、本実施の形態によれば、複数のパネル計器２を接続部材３で接続することにより所望の大きさのタッチパネルディスプレイを実現することができる。
【００３１】
また、１種類のパネル機器を用意するだけ所望の大きさのタッチパネルディスプレイを実現できるので、複数種類のパネル機器を用意しなくてよくなり、生産の手間がかからなくなる。また、他品種小ロット生産を防ぐことができるので、低コスト化も実現できる。さらに、生産数量の予測も容易になるので、過剰在庫や在庫切れを防ぐことができる。
【００３２】
なお、本実施の形態において、第１のコネクタ２３がパネル計器２の各側面に設ける場合を例に説明したが、第１のコネクタ２３を設ける側面はこれに限定されず、少なくとも１つの側面に設けられればよいことは言うまでもない。
【産業上の利用可能性】
【００３３】
本発明は、パネル計器など、タッチパネルディスプレイを備える各種装置に適用することができる。
【符号の説明】
【００３４】
１，１０…パネル計器集合体、２…パネル計器、３…接続部材、２１…筐体、２１ａ…開口、２２…タッチパネルディスプレイ、２３…第１のコネクタ、２４…制御装置、２５…基板、３１…支持部、３１ａ…開口、３２…基部、３２ａ…凸部、３３…第２のコネクタ。
【図１】
2015004563.tif 000003
【図２】
2015004563.tif 000004
【図３】
2015004563.tif 000005
【図４】
2015004563.tif 000006
【図５】
2015004563.tif 000007
【図６】
2015004563.tif 000008
【図７】
2015004563.tif 000009
【図８】
2015004563.tif 000010
【図９】
2015004563.tif 000011
【図１０】
2015004563.tif 000012
【図１１】
2015004563.tif 000013
【図１２】
2015004563.tif 000014
【図１３】
2015004563.tif 000015